(57)【要約】  本発明の目的は、据置型浄水器において、浄水を吐水するノズル部分を容易に着脱でる構造を提供することである。  上記目的を達成するために、本発明は、原水取水口と、原水を浄化するためのろ過カートリッジと、浄化された水を吐水するノズルを備えた据置型浄水器において、ノズルがカートリッジ出口部に対し、３６０度回転自在で、着脱可能であり、ノズルおよびカートリッジ出口部には、ノズルの回転軸方向への動きを制限する対となる係止部を備えたことを特徴とする。
2015115407.tif 000002
【特許請求の範囲】
【請求項１】
原水取水口と、原水を浄化するためのろ過カートリッジと、浄化された水を流出するためのカートリッジ出口部と、浄化され、カートリッジ出口部から流出した水を吐水するためのノズルとを備えた据置型浄水器において、
ノズルがカートリッジ出口部に対し、３６０度回転自在で、着脱可能であり、
ノズルおよびカートリッジ出口部には、ノズルの回転軸方向への動きを制限する対となる係止部がそれぞれある浄水器。
【請求項２】
前記ノズルのカートリッジと結合する部分と、前記カートリッジ出口部のノズルと結合する部分とに、対となるねじを備え、
前記対となるねじは、前記ノズルが備えるめねじと、前記カートリッジ出口部が備えるおねじとからなり、
前記ノズルは、前記めねじに隣接し、ノズルの前の方に存在するおねじ収納空間を備え、
前記カートリッジ出口部は、前記おねじに隣接し、ろ過カートリッジ側に存在するめねじ挿通部を備え、
前記対となる係止部が、前記おねじ収納空間に収納された前記おねじの下端面と前記めねじ挿通部に挿通された前記めねじの上端面とで形成されうる請求項１に記載の浄水器。
【請求項３】
前記ノズルのカートリッジと結合する部分と前記カートリッジ出口部のノズルと結合する部分とに、対となるねじを備え、
前記対となるねじは、前記ノズルが備えるおねじと、前記カートリッジ出口部が備えるめねじとからなり、
前記ノズルは、前記おねじに隣接し、ノズルの前の方に存在するめねじ挿通部を備え、
前記カートリッジ出口部は、前記めねじに隣接し、ろ過カートリッジ側に存在するするおねじ収納空間を備え、
前記対となる係止部が、前記おねじ収納空間に収納された前記おねじの上端面と前記めねじ挿通部に挿通された前記めねじの下端面とで形成されうる請求項１に記載の浄水器。
【発明の詳細な説明】
【技術分野】
【０００１】
本発明は、主に家庭で使用し、水道水などをろ過する浄水器に関する。
【背景技術】
【０００２】
従来から、ろ過カートリッジを内蔵した本体を、シンクの横に設置する据置型浄水器が知られている。水道水は、ホースを介してろ過カートリッジへ送水された後、専用の吐水部から浄水が吐水される。据置型浄水器は、蛇口に取り付ける浄水器やポット型浄水器よりも、一般的にろ過カートリッジが大きく、概して高寿命であることが特徴である。【０００３】
ただし据置型浄水器の問題点の一つとして、シンクの横に設置して使用するため、シンクからの跳ね水の影響を受け、汚れやすいことが挙げられる。特に、浄水が吐水されるノズル部分の汚れが気になるというユーザーは多く、ノズルを取り外し洗浄したいという要望がある。【０００４】
特許文献１に示すように、これまでにワンタッチカプラを利用して、ノズルを着脱できる構造が提案されている。容易に着脱できると共に、回転自在である。【０００５】
一方で、特許文献２に示すように、Ｃリングを利用したノズル着脱構造も提案されている。ケースの中にＣリングが収納されており、使用時は、ノズルの外周壁に設けられた溝とＣリングが嵌合する。このため、ノズルが自在に回転できつつも、水圧等で勝手に抜けないようになっている。そして、ノズルを取り外す際は、ノズルの溝にテーパがついているため、ノズルを強く引き上げると、Ｃリングがテーパに沿って拡がる構造となっている。
【先行技術文献】
【特許文献】
【０００６】
【特許文献１】特開平７−１１６６５５号公報
【特許文献２】実用新案登録第３１６７５２９号公報
【発明の概要】
【発明が解決しようとする課題】
【０００７】
しかし、特許文献１に示す据置型浄水器では、ワンタッチカプラは複数の部材で構成された機構であるため、部材コストが高くなる。【０００８】
また、特許文献２に示す据置型浄水器では、ワンタッチカプラよりも部品点数が少なく安価だが、Ｃリングが金属の場合、ノズルを傷つけてしまう可能性がある。Ｃリングの材質を樹脂にすれば、傷の低減を図れるが、今度は繰り返し変形により、折れてしまう懸念がある。また、そもそも部材の変形を利用した本構造は、わずかな径の違いで、着脱する際の力も劇的に変わってしまう可能性がある。そのため生産の観点からしても、管理が大変である。【０００９】
本発明の目的は、浄水を吐水するノズル部分を容易に着脱でき、かつ安価な構造を有する据置型浄水器提供することである。
【課題を解決するための手段】
【００１０】
上記目的を達成するために、本発明は以下の構成からなる。
（１）原水取水口と、原水を浄化するためのろ過カートリッジと、浄化された水を流出するためのカートリッジ出口部と、浄化され、カートリッジ出口部から流出した水を吐水するためのノズルとを備えた据置型浄水器において、
ノズルがカートリッジ出口部に対し、３６０度回転自在で、着脱可能であり、ノズルおよびカートリッジ出口部には、ノズルの回転軸方向への動きを制限する対となる係止部がそれぞれある浄水器。【００１１】
また、本発明の実施態様として以下のものがある。
（２）前記ノズルのカートリッジと結合する部分と、前記カートリッジ出口部のノズルと結合する部分とに、対となるねじを備え、
前記対となるねじは、前記ノズルが備えるめねじと、前記カートリッジ出口部が備えるおねじとからなり、
前記ノズルは、前記めねじに隣接し、ノズルの前の方に存在するおねじ収納空間を備え、
前記カートリッジ出口部は、前記おねじに隣接し、ろ過カートリッジ側に存在するめねじ挿通部を備え、
前記対となる係止部が、前記おねじ収納空間に収納された前記おねじの下端面と前記めねじ挿通部に挿通された前記めねじの上端面とで形成されうる上記浄水器。
（３）前記ノズルのカートリッジと結合する部分と前記カートリッジ出口部のノズルと結合する部分とに、対となるねじを備え、
前記対となるねじは、前記ノズルが備えるおねじと、前記カートリッジ出口部が備えるめねじとからなり、
前記ノズルは、前記おねじに隣接し、ノズルの前の方に存在するめねじ挿通部を備え、
前記カートリッジ出口部は、前記めねじに隣接し、ろ過カートリッジ側に存在するするおねじ収納空間を備え、
前記対となる係止部が、前記おねじ収納空間に収納された前記おねじの上端面と前記めねじ挿通部に挿通された前記めねじの下端面とで形成されうる上記浄水器。
【発明の効果】
【００１２】
ノズル回転機能とノズル着脱機能の両機能を備えた構造にしようとすると、従来は部材点数が多くなり、高価になっていた。たとえば特許文献１ではワンタッチカプラが、特許文献２ではＣリングが必要であった。しかし本発明では、部品点数を増やさなくても、実現可能で安価である。【００１３】
また、特許文献２のように樹脂の弾性を利用した着脱構造ではないため、ノズルの着脱に大きな力を必要としない。そのため誰でも簡単にノズルの取り外しができる。また繰り返し変形による疲労で部材が破損する恐れもない。【００１４】
またノズルを着脱でき、洗浄できなかった箇所を清潔に保つことが可能となる。たとえば、ノズルを漬け置き洗いできるため、ノズル内部までの洗浄が容易になる。【００１５】
他には、ノズルを取り外し、異なる機能を備えたアタッチメントや、異なるデザインに容易に交換できる。
【図面の簡単な説明】
【００１６】
【図１】本実施形態の据置型浄水器の斜視図である
【図２】本実施形態の浄水器本体の断面図である
【図３】本実施形態の吐水ユニット分解図である
【図４】本実施形態のノズルの断面図である
【図５】本実施形態のカートリッジ出口部の断面図である
【図６】本実施形態のノズルおよびカートリッジ出口のアセンブリ断面図において、係止部付近を拡大した図である
【発明を実施するための形態】
【００１７】
発明の実施形態に係る浄水器において、図面を参照しながら説明する。なお、本発明は以下に示す実施の形態に限定されるものではなく、上記本発明の目的を達成できるものであればよい。
【００１８】
まず、本実施形態の構成部材について、図１および図２を用いて説明する。
【００１９】
本実施形態の据置型浄水器は、浄水器本体１と水道の蛇口に接続される蛇口接続部２、蛇口接続部２から浄水器本体１に水を送水するホース３により構成される。蛇口接続部２の上部に位置する原水取水口４に、水道の蛇口が挿入される。本実施形態の据置型浄水器の原水としての水道水は、原水取水口４から取り入れられる。
【００２０】
浄水器本体１は、ホース３から送水された水道水を浄化するろ過カートリッジ１０と、ろ過カートリッジ１０の収納ケース１１、浄水を吐水する吐水ユニット２０により構成される。ろ過カートリッジ１０は、ろ材として主に活性炭と中空糸膜により構成される。
【００２１】
吐水ユニット２０について、図３を用いて説明する。
【００２２】
吐水ユニット２０は、ろ過カートリッジ１０と接続するカートリッジ接続部２１、浄水を送水するカートリッジ出口部３０、カートリッジ出口部３０と接続するノズル４０、水流の形状を整えるための整流ユニット５０により構成される。カートリッジ出口部３０は、ろ過カートリッジ１０やカートリッジ接続部２１と、一体になっていてもよい。
【００２３】
整流ユニット５０は、金網５１、パッキン５２、そして金網５１とパッキン５２を保持するための整流キャップ５３により構成される。金網５１は、メッシュ状のものであればよく、材質、大きさ、厚さを限定しない。
【００２４】
つぎにノズル４０とカートリッジ出口部３０について、図４および図５を用いて説明する。
【００２５】
ノズル４０は、略Ｊ字型の中空構造をしている。一端は、カートリッジ出口部３０と着脱可能に接続する。他端は、整流ユニット５０と液密に接続する。Ｊ字型の中空構造を形成するために、本実施形態では、ノズル前方部４３とノズル後方部４４が別部材となっており、後にこれら２部材を液密に接続する構造となっている。液密に接続する手段としては、超音波溶着を用いたり、ゴム部材を挟んで、ねじや嵌合用のツメで留める手段が考えられる。
【００２６】
カートリッジ出口部３０には、長さaの区間でおねじ３２が設けられ、それと対となるめねじ４１がノズル４０の内側に設けられる。めねじ４１は、ノズル４０の一部の区間に設けられる。めねじ４１よりも奥には、長さbの区間でストレート部が設けられる。そしてストレート部のうち、少なくともめねじ４１側には、おねじ３２の外径よりも大きい内径で長さcのおねじ収納空間４２を有する。
【００２７】
a、bおよびcは以下の条件を満たす。
a≦c≦b    。
【００２８】
ところで、めねじ４１よりも奥におねじ収納空間４２を設ける場合、生産上、金型構造は内スライドの構造にしたり、傾斜ピンを用いたりすることがある。その場合、めねじ４１には、一部ねじのない部分が生じる。
【００２９】
ねじのない部分があると、ねじ端部から順におねじ３２が掛からず、ねじが噛み込む恐れがある。ねじの噛み込みを回避するために全周をねじにすることが好ましい。その場合、ねじ部が設けられている箇所を別部材で製作し、あとで液密に接続する必要がある。液密に接続する手段としては、超音波溶着や、ゴム部材を挟んで、ねじやバヨネットで接続する手段などが考えられる。本実施形態では、超音波溶着で接続している。
【００３０】
つぎにカートリッジ出口部３０について説明する。
【００３１】
カートリッジ出口部３０は、中空の略Ｌ字型をしている。一端は、カートリッジ接続部２１と、他端は、ノズル４０と液密に接続する。
【００３２】
カートリッジ出口部３０のカートリッジ接続部２１側は、Ｏリング３３を備え、カートリッジ接続部２１の中央の浄水通過孔に液密に接続される。Ｏリング３３は、カートリッジ接続部２１の浄水通過孔に取り付けても構わない。また、液密に接続できるならば、Ｏリング３３を平パッキンにしても構わないし、カートリッジ出口部３０とカートリッジ接続部２１とを超音波溶着し、一体化してもよい。
【００３３】
またカートリッジ出口部３０のノズル４０との接続部は、長さdの円筒部３１を有しており、円筒部３１をノズル４０に挿入し接続する。ノズル４０は、円筒部３１の中心線を軸にして、回転自在である。
【００３４】
カートリッジ出口部３０の円筒部３１とノズル４０のストレート空間は、次式を満たす。
d≦b
円筒部３１にはＯリング３４が備えられ、ノズル４０と液密に接続される。液密に接続されるならば、ノズル４０にＯリング３４を設けても構わない。
【００３５】
また円筒部３１には、Ｏリング３４よりも根元側に、上述したおねじ３２が長さaの区間で設けられる。またおねじ３２の根元には、めねじ４１の最小内径部よりも小さい径のめねじ挿通部３６を備えている。
【００３６】
図６に、ノズル４０とカートリッジ出口部３０を接続した状態を示す。以下図６を用いて説明する。カートリッジ出口部３０のおねじ３２は、ノズル４０内部にあるおねじ収納空間４２に収まる。また、ノズル４０のめねじ４１は、めねじ挿通部３６に挿通される。この状態で、ノズル４０は回転自由であり、またおねじ３２とめねじ４１とは噛み合わないため、ノズル４０がカートリッジ出口部３０から外れることはない。
【００３７】
またノズル４０を上に引き上げたとしても、おねじ３２の下端面とめねじ４１の上端面とが係止部となり、ノズル４０が抜けてしまうことはない。すなわち、おねじ３２の下端面とめねじ４１の上端面とは、カートリッジ出口部およびノズルにそれぞれ設けられる、ノズルの回転軸方向への動きを制限する対となる係止部となっている。
【００３８】
また、おねじ３２の下部には、外周方向にせり出す段差３５が設けられている。ノズル４０とカートリッジ出口部３０が接続された状態において、段差３５は、ノズル４０の内周壁と近接し、芯出しの役割をする。これにより、ノズル４０のガタつきが軽減され、Ｏリング３４のシール性が高まる。
【００３９】
ところで、ノズル４０をカートリッジ出口部３０から取り外す際は、ノズル４０を引き上げた状態で、ノズル４０を回転させる。これにより、ノズル４０のめねじ４１とカートリッジ出口部３０のおねじ３２が噛み合う。さらにノズル４０を回転させることで、ノズル４０は、ねじに沿って上方に移動し、取り外すことができる。
【００４０】
図には示していないが別の態様もある。図６に示すような接続状態から、ノズル４０の下端部を回転軸方向に延長して、その下端部の外周側から内周側に突き出るピンまたはビスを、上記のカートリッジ出口部３０の段差３５の直下に位置するように、挿入する構成としてもよい。このようなピンまたはビスを設ける構成にすると、ノズルとカートリッジ出口部とにそれぞれねじがなく、単にお互いを挿入し合うことで着脱可能に接続する場合であっても、そのピンまたはビスと、段差３５とを、ノズルおよびカートリッジ出口部にそれぞれ設けられる、ノズルの回転軸方向への動きを制限する対となる係止部とすることができる。この構成の場合、ピンまたはビスは、ノズルとカートリッジ出口部を接続後、取り付ける。またカートリッジ出口部からノズルを取り外す際には、まず、ノズルの回転軸方向への動きを制限する係止部であるピンまたはビスを取り外し、その後ノズルをカートリッジ出口部から取り外す。
【００４１】
図４、図５および図６に示した実施形態では、ノズル４０にめねじ４１、カートリッジ出口部におねじ３２が設けられているが、本目的が達成できれば、ねじを逆にしても構わない。すなわち、図４、図５および図６に示したの実施形態においては、カートリッジ出口部におねじ、および、めねじ挿通部が設けられ、ノズルにめねじ、および、おねじ収納空間が設けられているが、逆の実施形態として、カートリッジ出口部にめねじ、およびおねじ収納空間が設けられ、ノズルにおねじ、および、めねじ挿通部が設けられている実施形態であってもよい。
【産業上の利用可能性】
【００４２】
本発明は、浄水器に限らずノズルを有する水栓などにも応用することができるが、その応用範囲が、これらに限られるものではない。
【符号の説明】
【００４３】
１：浄水器本体
２：蛇口接続部
３：ホース
４：原水取水口
１０：ろ過カートリッジ
１１：収納ケース
２０：吐水ユニット
２１：カートリッジ接続部
３０：カートリッジ出口部
３１：円筒部
３２：おねじ
３３：Ｏリング
３４：Ｏリング
３５：段差
３６：めねじ挿通部
４０：ノズル
４１：めねじ
４２：おねじ収納空間
４３：ノズル前方部
４４：ノズル後方部
５０：整流ユニット
５１：金網
５２：パッキング
５３：整流キャップ
【図１】
2015115407.tif 000003
【図２】
2015115407.tif 000004
【図３】
2015115407.tif 000005
【図４】
2015115407.tif 000006
【図５】
2015115407.tif 000007
【図６】
2015115407.tif 000008
【国際調査報告】
2015115407.tif 000009
2015115407.tif 000010